(57)【特許請求の範囲】
【請求項１】
ケーブルの地絡電流を検出する各相毎に設ける第一の電流センサと、零相電流を検出する第二の電流センサ及び第三の電流センサと、電池電源とを設けると共に、第三の電流センサで検出された零相電流が第一の所定値を超えたとき、第三の電流センサの出力電流によって地絡検出回路と前記電池電源との間に設けられた電源接点を閉成する電源駆動手段と、第二の電流センサで検出された零相電流が第一の所定値よりも大きい第二の所定値を超えたとき動作する前記地絡検出回路と、前記地絡検出回路の動作によって表示する第一の表示手段と、計測結果及び過去の事故内容を表示する第二の表示手段と、点検スイッチとで構成すると共に、前記点検スイッチをＯＮした時に点検信号を前記電源駆動手段と前記第一の表示手段と前記第二の表示手段とに与えることによって所定時間だけ前記電池電源が入りとなり、その時間内に前記第一の表示手段を一旦動作させた後、前記第一の表示手段を復帰させ、更に前記第二の表示手段の内容を順次表示するようにした点検機能を有するケーブル故障表示装置。
【請求項２】
前記ケーブルは複数系統であって、前記第二の電流センサは系統毎に設けられ、前記第三の電流センサは各系統に共通に一つだけ設けられた請求項１に記載のケーブル故障表示装置。
【発明の詳細な説明】
【０００１】
【発明の属する技術分野】
本発明は、高圧交流電路に布設する相毎に金属製遮蔽体を有するケーブルの故障検知に係る。
【０００２】
【従来の技術】
従来における例を図６のブロック図により説明する。図６において高圧交流架空電路１に布設された相毎に金属遮蔽体２１を有するケーブル２に開閉器３を介して負荷４が接続される。金属遮蔽体２１の接地線６に抵抗体センサ５が接続される。
【０００３】
図６で７が従来のケーブルの故障検知器であり、抵抗体センサ５と地絡電流検出回路７１と表示器７２の簡単な構成と成っていた。７１１は地絡検出回路７１の出力部、７２１は表示駆動部、７２２は表示部、７２３は復帰部である。
【０００４】
この場合、地絡電流検出回路７１及び表示器７２の電源は地絡電流より取るようになっているので回路電源の安定化が困難となったり、また大きなエネルギーをとることが出来なく従って複雑な機能を持たすことも出来ないものであった。
【０００５】
【発明が解決しようとする課題】
しかし、上記の従来の構成では地絡電流の検出は地絡事故時の地絡電流を電源としており、従ってケーブル故障表示装置の点検が困難であったり、電源がないため外部機器との間で通信が出来るようにする機能を付加することができなかったり、又は複数系統を一つの筐体に内蔵する場合は装置が大きくなったりする課題を有していた。
【０００６】
【課題を解決するための手段】
本発明の第１手段のケーブル故障表示装置によれば、ケーブルの地絡電流を検出する各相毎に設ける第一の電流センサと、零相電流を検出する第二の電流センサ及び第三の電流センサと、電池電源とを設けると共に、第三の電流センサで検出された零相電流が第一の所定値を超えたとき、第三の電流センサの出力電流によって地絡検出回路と前記電池電源との間に設けられた電源接点を閉成する電源駆動手段と、第二の電流センサで検出された零相電流が第一の所定値よりも大きい第二の所定値を超えたとき動作する前記地絡検出回路と、前記地絡検出回路の動作によって表示する第一の表示手段と、計測結果及び過去の事故内容を表示する第二の表示手段と、点検スイッチとで構成すると共に、前記点検スイッチをＯＮした時に点検信号を前記電源駆動手段と前記第一の表示手段と前記第二の表示手段とに与えることによって所定時間だけ前記電池電源が入りとなり、その時間内に前記第一の表示手段を一旦動作させた後、前記第一の表示手段を復帰させ、更に前記第二の表示手段の内容を順次表示するようにした点検機能を有するものであり、点検スイッチを押した時、電源駆動手段によって所定時間だけ電池電源が入りとなり、その時間内に第一の表示手段を一旦動作させた後、第一の表示手段を復帰させ、更に第二の表示手段の内容を順次表示するようにした点検機能を持たせることによって外部から電源を供給せずに内蔵の電池電源により容易に装置の点検が可能となる作用を有する。
【０００７】
また、本発明の第２手段のケーブル故障表示装置によれば、前記ケーブルは複数系統であって、前記第二の電流センサは系統毎に設けられ、前記第三の電流センサは各系統に共通に一つだけ設けられたものであり、各系統に共通な第三の電流センサは系統数用意することは不要であり、従って経済的になると共に装置を小形化できる作用を有する。
【０００８】
【発明の実施の形態】
本発明の実施の形態について、図を用いて説明する。
【０００９】
（実施の形態１）
図１は本発明の実施の形態１についてのブロック構成図で、図１において、１は高圧交流架空電路であり、２は相毎に金属製遮蔽体２１を有するケーブルで、金属製遮蔽体２１は各相毎の接地線６−１を一括接続した後に一括接地線６−２によって接地されている。
【００１０】
そして、４は負荷でケーブル２から開閉器３を介して高圧交流架空電路に接続されている。一方、各相毎の金属製遮蔽体２１の接地線６−１には接地線電流を検出するための第一の電流センサ５−１，５−２および５−３が設けられ、又各相毎の金属製遮蔽体２１を接続して接地した接地線６−２には、地絡電流を検出するための第二の電流センサ５−４と地絡電流によって電池電源を駆動させるための第三の電流センサ５−４とが設けられている。
【００１１】
そして、前記各センサの内、第一の電流センサ５−１〜５−３の出力はケーブル故障表示装置７の各相接地線電流検出回路７３の入力となり、次に第二の電流センサ５−４の出力は地絡検出回路７２の入力となり、さらに第三の電流センサ５−４の出力は電源駆動手段７１に入力されている。
【００１２】
さらに、ケーブル故障表示装置７には点検信号７７及び点検押釦スイッチ７８が設けられている。そして電源駆動手段７１は第三の電流センサ５−５からの入力、つまり零相電流が第一の所定値を越えたときに電源接点７６を閉路して電池電源７５をケーブル故障表示装置全体の電源として供給するようにしてある。
【００１３】
次に、地絡検出回路７２は第二の電流センサ５−４からの入力、つまり零相電流が第二の所定値を越えたときに地絡検出動作をし永久表示保持する第一の表示手段７４が働き地絡表示させるものである。尚上記する零相電流の第一の所定値は地絡電流の第二の所定値より低く設定されている。
【００１４】
次に、各相接地線電流検出回路７３は第一の電流センサ５−１〜５−３からの入力を検出し各相毎の接地線電流を計測すると共に、地絡事故時にどの相が地絡したかを判断するためのものである。
【００１５】
次に、第二の表示手段７４１は電源起動時の各相接地線電流検出回路７３及び地絡検出回路７２の現在の計測結果と更には過去の地絡事故時の計測結果、さらに電池の電圧をも表示させるためのものである。
【００１６】
次に、点検信号７７は第一の表示手段７４を一旦表示させた後、表示復帰させて表示器の正常動作確認を行うと同時に第二の表示手段７４１によって前記の各計測結果を順次表示確認できるようにする信号であり、点検押釦スイッチ７８を押すことで本装置が正常であるか否かを判定するための機能である。
【００１７】
以上に説明した構成では、第一の電流センサから第三の電流センサはケーブル故障表示装置の外部に設けるようにしてあるが当然ながら各電流センサは内蔵であってもよい。
【００１８】
（実施の形態２）
図２は本発明の実施の形態２についてのブロック構成図で、以下共通する番号のすでに説明された構成要素については説明を省略する。
【００１９】
ここで図１と図２の構成の違いは、第一の電流センサ５−１から第三の電流センサ５−５までを一つの第一から第三の電流センサに共通な試験電流を流す試験用電路８を設けるようにしたことにより、同試験用電路８に別途用意した交流電流試験装置９から試験電流を流すことによりケーブル故障表示装置７の性能試験が簡単にして容易に実施できるものである。
【００２０】
（実施の形態３）
図３は本発明の実施の形態３についてのブロック構成図で、ここで実施の形態２の図２と実施の形態３の図３との構成の違いは、実施の形態２が別途用意した交流電流試験装置９で試験電流を流すものであるのに対して実施の形態３は試験用定電流交流電源７９を装置内に用意したものであり、点検押釦スイッチ７８を押し点検信号７７をあたえることによって一つの試験用電路８に第一から第三の電流センサに共通な試験電流を流すことによって各電流センサの性能を含めた試験が外部試験装置を用意しなくても可能とするものである。
【００２１】
更に試験用定電流交流電源７９に第一のセンサで検出した周波数信号を各相接地線電流検出回路７３を介して入力することで試験用定電流交流電源７９の試験電流の周波数を高圧交流架空電路１に合わせることで実際に近い試験とすることができるものである。
【００２２】
（実施の形態４）
図４は本発明の実施の形態４についてのブロック構成図で、ここで実施の形態４の図４と実施の形態１の図１との構成の違いは、被計測電路が実施の形態１では一系統であるのに対して実施の形態４は複数系統としたもので、図４の例では２系統の場合であり２系統の高圧交流架空電路１に第一の電流センサから第二の電流センサを系統数に応じて設けられているが第三の電流センサについては共通に一つだけ設けている。
【００２３】
そして、ケーブル故障表示装置７の各相接地線電流検出回路７３及び地絡電流検出回路７２には２系統の第一の電流センサと第二の電流センサが入力され、一方電源駆動手段７１には２系統に共通な一つの第三の電流センサが入力されている。
【００２４】
ここで、第三の電流センサは図４では系統に共通となるようにしたが系統毎に設けてもよい。
【００２５】
次に、第一の表示手段７４又は第二の表示手段７４１については系統毎に表示するよう系統数用意するのであってもよく、系統に共通に夫々一つ用意するのであってもよい。尚電池電源については系統数に関係せず一つの電池電源とすることができる。
【００２６】
（実施の形態５）
図５は本発明の実施の形態５についてのブロック構成図で、ここで実施の形態５の図５と実施の形態１の図１との構成の違いは、実施の形態１のケーブル故障表示装置７に外部信号電源駆動手段７９２及び通信手段７９１を設けたことである。
【００２７】
そして、ケーブル故障表示装置７の外部との通信は外部通信装置１０とケーブル故障表示装置７を図のように通信線１０−２と、電源駆動用線１０−１で接続するように構成され、そしてケーブル故障表示装置７と外部通信装置１０との間で通信が必用な場合は外部通信装置１０から電源駆動用線１０−１に外部信号電源駆動手段７９２の電源駆動用信号を出力することによってケーブル故障表示装置７の電池電源が供給されるようになるのでケーブル故障表示装置７の電池電源７５が常時切り離されていても必要時は通信を可能とさせるものである。
【００２８】
【発明の効果】
以上の説明から明らかなように、本発明の第１手段のケーブル故障表示装置によれば、点検押釦スイッチを押した時、電源駆動手段によって特定時間電池電源が入りとなり、その時間内に第一の表示手段を一旦動作させた後、第一の表示手段を復帰させ、更に第二の表示手段の内容を順次表示するようにした点検機能を持たせることによって、外部から電源を供給せずに内蔵電池電源により容易に装置の点検が可能とする効果を有する。
【００２９】
また、本発明の第２手段のケーブル故障表示装置によれば、各系統に共通な第三の電流センサは系統数用意することは不要であり、従って経済的になると共に装置の小形化をも可能とする効果を有する。
【図面の簡単な説明】
【図１】  本発明の実施の形態１におけるブロック構成図
【図２】  同実施の形態２におけるブロック構成図
【図３】  同実施の形態３におけるブロック構成図
【図４】  同実施の形態４におけるブロック構成図
【図５】  同実施の形態５におけるブロック構成図
【図６】  従来のブロック構成図
【符号の説明】
１      高圧交流架空電路
２      ケーブル
３      開閉器
４      負荷
５−１，５−２，５−３  第一の電流センサー
５−４  第二の電流センサー
５−５  第三の電流センサー
６−１  接地線
７      ケーブル故障表示装置
８      試験用電路
９      交流電流試験装置
１０    外部通信装置
７１    電源駆動手段
７２    地絡検出回路
７３    各相接地線電流検出回路
７４    第１の表示手段
７４１  第２の表示手段
７５    電池電源
７７    点検信号
７９    試験用定電流交流電源
７９１  通信手段
７９２  外部信号電源駆動手段
【図１】
0004268314.tif 000002
【図２】
0004268314.tif 000003
【図３】
0004268314.tif 000004
【図４】
0004268314.tif 000005
【図５】
0004268314.tif 000006
【図６】
0004268314.tif 000007